(57)【要約】      （修正有）【課題】握りやすく、かつ３６０度旋回可能なカッター装置を提供する。【解決手段】カッター装置１は、本体２と、カッターアセンブリ３と、連接部材４を含み、該カッターアセンブリ３が該連接部材４により該本体２と相互に組み込まれ、該カッターアセンブリ３にカッター部材３１が設置され、該カッター部材３１の刃部３１１と延伸部間３１２に形成された角度が６０°〜８４°の間であり、これにより使用者は握持部２１を握り、カッターアセンブリ３の刃部で被切断物を押さえて切断を行うことができ、かつカッターアセンブリ３が該連接部材４の３６０度の旋回により、切断方向が変化するとき、該カッターアセンブリ３の死角のない旋回角度で容易に切断方向を変化させることができる。【選択図】図１
0003217048.tif 000002
【実用新案登録請求の範囲】
【請求項１】
カッター装置であって、本体と、カッターアセンブリを含み、
該本体が握持部を備え、
該カッターアセンブリが該本体と相互に組み込まれ、かつカッター部材を備え、該カッター部材に相互に延伸して連接された刃部と少なくとも１つの延伸部が形成され、該刃部と該延伸部間に形成された角度が６０°〜８４°の間であることを特徴とする、カッター装置。
【請求項２】
前記本体と前記カッターアセンブリとの間にさらに連接部材が設置され、該カッターアセンブリが該連接部材により該本体上で３６０度旋回可能であることを特徴とする、請求項１に記載のカッター装置。
【請求項３】
前記カッターアセンブリが、軸受または自在継手により連接部材に連接されることを特徴とする、請求項１に記載のカッター装置。
【請求項４】
前記本体が、棒体または球体、柱体、矩形体等の握りやすい形状とすることができることを特徴とする、請求項１に記載のカッター装置。
【請求項５】
前記握持部が該本体の軸線方向に沿ってその設置位置を調整可能であることを特徴とする、請求項４に記載のカッター装置。
【請求項６】
前記連接部材が強化プラスチックまたは金属の材質とすることができることを特徴とする、請求項２に記載のカッター装置。
【請求項７】
前記握持部と前記連接部材、及び前記カッターアセンブリを一体成型することができることを特徴とする、請求項２に記載のカッター装置。
【考案の詳細な説明】
【技術分野】
【０００１】
本考案はカッター装置に関し、特に、握りやすく、かつ３６０度旋回可能なカッター装置に関する。
【背景技術】
【０００２】
従来、紙の切断に応用する切断装置はカッターナイフやペンナイフが一般的である。カッターナイフ及びペンナイフはいずれも軽便で携帯しやすく、刃を交換できる等の利点があるが、この両者は設計上まだ次のような欠点がある。まず、カッターナイフまたはペンナイフの刃は通常単一の方向であるため、切断時に単一方向でのみ行うことができ、方向を変えて切断する、または複雑な図形を切断するとき、使用者の腕全体を切断方向に合わせて移動させるか、被切断物の方向を変えて調整する必要があり、使用上不便である。また、カッターナイフまたはペンナイフの刃は通常片状である。被切断物が比較的厚く、切断しにくいとき、施力が大きすぎて刃が断裂し、間接的に使用者の傷害を引き起こしやすい。このほか、ナイフの切断方式はいずれも使用者が手で持っている箇所に施力して刃で切断を行うが、長時間の使用時、使用者は施力によって手の人差し指前端部の筋肉、中指前端部の関節外側、大指前端部の筋肉に疼痛が生じやすくなる。このため、上述等の問題を軽減または改善する方法に改善が必要とされている。
【０００３】
故に、上述の欠点と問題をいかに改善するかが本考案の考案者が解決を図る技術的問題の所在である。
【考案の概要】
【考案が解決しようとする課題】
【０００４】
これに鑑み、上述の問題を効果的に解決するため、本考案の主な目的は、握りやすく、かつ３６０度旋回可能なカッター装置を提供することにある。
【課題を解決するための手段】
【０００５】
上述の目的を達成するため、本考案のカッター装置は、本体と、カッターアセンブリと、連接部材を含み、そのうち、該本体上に握持部が形成され、該カッターアセンブリが該連接部材により該本体と相互に組み込まれ、該カッターアセンブリの該連接部材に相対する他端の位置にカッター部材が設置され、該カッター部材が刃部と、少なくとも１つの延伸部を備え、該延伸部が刃部の側辺に連接して一体として延伸され、該刃部と該延伸部間に形成された角度が６０°〜８４°の間であり、これにより使用者は握持部を握り、カッターアセンブリの刃部で被切断物を押さえて切断を行うことができ、かつカッターアセンブリが該連接部材の３６０度の旋回により、切断方向が変化するとき、該カッターアセンブリの死角のない旋回角度で容易に切断方向を変化させることができる。
【０００６】
このほか、該カッターアセンブリは軸受または自在継手を利用して連接部材に連結することができ、軸受または自在継手等の装置により、該カッターアセンブリに３６０度の旋回で容易に死角のない旋回を達成させることができる。
【０００７】
このほか、該握持部は本体の軸心方向に沿って上下にその設置位置を調整するように設計することができ、これにより、使用者は自身の使用習慣、握り方または切断時の角度に合わせて適した握持位置に調整することができ、より快適に切断作業を行うことができる。長時間の使用下でも、握持姿勢を頻繁に調整することで、固定された姿勢、位置での施力により引き起こされる手の傷害を回避できる。このほか、該握持部は異なる材質の応用により、その快適性を高めることもできる。
【０００８】
また、該カッターアセンブリと該本体間は９０度より小さい傾斜角に設計し、カッターアセンブリの刃部を被切断物に対して垂直またはほぼ垂直にすることで、使用者の施力を最大化して被切断物に伝達し、作業をより楽で快適にすることができる。かつ、該カッターアセンブリのカッター部材は固定式または交換可能なカッター部材とすることができ、カッター部材が長時間の使用や不適切な使用で摩損した場合、カッター部材を容易に交換でき、本考案の的使用寿命を延長することができる。
【図面の簡単な説明】
【０００９】
【図１】本考案の最良の実施例の立体図である。
【図２】本考案の最良の実施例の部分拡大図１である。
【図３】本考案の最良の実施例の部分拡大図２である。
【図４】本考案の最良の実施例の部分拡大図３である。
【図５】本考案の最良の実施例の実施を示す立体外観図１である。
【図６】本考案の最良の実施例の実施を示す立体外観図２である。
【図７】本考案の最良の実施例の実施を示す立体外観図３である。
【考案を実施するための形態】
【００１０】
図１から図４に本考案の最良の実施例の立体図及び部分拡大図１から３を示す。これらの図からはっきりと分かるように、本考案のカッター装置１は、本体２と、カッターアセンブリ３と、連接部材４を含む。そのうち、前記本体２上に握持部２１が設置され、かつ該本体は棒体、球体、柱体または矩形体等の握りやすい形状とすることができ、該本体２は本実施例においてペン軸の実施方式であり、また該握持部２１は前記本体２の一端縁の位置に設置されている。該カッターアセンブリ３は前記本体２の該握持部２１に相隣する一端の位置に設置され、また該カッターアセンブリ３と該本体２間に前記連接部材４が設置され、該連接部材４は強化プラスチックまたは金属材質で構成することができ、かつ該カッターアセンブリ３は前記連接部材４を介して該本体２の一端の位置に組み込まれる。該カッターアセンブリ３は軸受または自在継手で該連接部材４に連結され、かつ該握持部２１及び連接部材４及びカッターアセンブリ３は一体成型とすることができる。また、該カッターアセンブリ３は該連接部材４に相対する他端の位置にカッター部材３１が設置され、該カッター部材３１は刃部３１１と、少なくとも１つの延伸部３１２を備えている。該延伸部３１２は刃部３１１の側辺に連接して一体として延伸され、かつ該刃部３１１と該延伸部３１２間に形成された角度が６０°〜８４°の間である。
【００１１】
再び前述の図面と図５から図７に示す本考案の最良の実施例の実施を示す立体外観図１、２、３を参照する。そのうち、使用者が前記カッター装置１を使用するとき、該カッターアセンブリ３は該連接部材４に平行な方向で３６０度旋回可能であり、該カッターアセンブリ３の旋回面は該連接部材４の接触面と平行な方向である。切断が必要な方向を変えるときは、該カッターアセンブリ３の死角のない旋回角度により、切断方向を容易に変えることができ、これにより従来技術において切断時に単一方向で行うしかない問題を改善し、使用者は腕全体を切断方向に合わせて移動させたり、被切断物５全体の方向を調整したりする必要なく、カッター部材３１の方向を変えるだけで容易に切断方向を変えることができ、使用上より便利である。また、使用者が該カッター装置１を使用するとき、通常ペンを握る角度により快適に合わせられ、かつ施力を最大化してカッター部材３１に伝達できる。さらに、該カッターアセンブリ３に３６０度の死角のない旋回を達成させるため、本考案の実施例は軸受または自在継手により連接部材４と該カッターアセンブリ３を連結し、本考案のカッター部材３１が隨意に切断方向に回動できるという目的を達成する。また、本実施例は傾斜角を設計し、該カッターアセンブリ３と本体２の軸線間に９０度より小さい傾斜角を形成する。本考案の説明において言及したように、一般的なペンを握る姿勢の筆先は通常書写紙と傾斜角を形成しており、本実施例の傾斜角は使用者が通常ペンを握る姿勢で、該カッター部材３１の刃部３１１が被切断物５に対して垂直またはほぼ垂直になるよう補助し、使用者の施力を最大化してカッター部材３１に伝達することができる。また、該カッター部材３１の刃部３１１と該延伸部３１２間に形成された角度は６０°〜８４°の間であり、該刃部３１１に該被切断物５を効果的にカットさせることができる。かつ該カッター部材３１は固定式または交換可能なカッター部材３１とすることができ、カッター部材３１を長期にわたって使用した、または不適切な使用で磨損が発生したとき、カッター部材３１を容易に交換できるようにすることで、本考案の使用寿命を延長することができる。該カッター部材３１の材質にはステンレス、高炭素鋼、合金またはダイヤモンド等を採用してもよく、切断する材質の硬度に応じて異なる材質のカッター部材３１を選択できる。さらに、本考案の実施例において、該カッター部材３１はホイールカッターを採用しており、ホイールカッターの設計により、従来技術において単一の切断方向しか提供できない欠点を回避し、かつ使用者が本考案のペン型カッター装置１を使用して切断するとき、運筆をより円滑にし、切断方向が変化するとき、カッター部材３１の方向転換をより容易にすることができる。また、該握持部２１は該本体２の軸心方向に沿って上下に移動でき、使用者の習慣に合わせて最も適した握持位置に調整し、使用者がより快適に切断作業を行うことが可能になる。長時間の使用下で、使用者は頻繁に握持位置を調整し、固定姿勢を避けることで、継続的な施力により引き起こされる手の傷害を回避することができる。該握持部２１は異なる材質（シリコン、弾性スポンジ、樹脂等）の応用で、快適性を��めることもできる。また、図７に示すように、本体２は球体としてもよく，球体上に前記握持部２１を設置し、使用者は該本体２と握持部２１を直接握持することができる。また該球体上に前記連接部材４及び該連接部材４を介して組み込まれたカッターアセンブリ３が設置され、かつ使用者は該本体２により該カッター部材３１の刃部３１１を被切断物５に垂直またはほぼ垂直にし、使用者の施力を最大化してカッター部材３１に伝達することで、握って切断しやすく、３６０度の旋回効果を達することができる。
【００１２】
以上は本考案の最良の実施例を挙げたものであり、本考案を限定するものではなく、形状や配置形態の変更や、各種の変化、修飾、応用が生じる同等効果の作用など、本考案の構想に基づいた変更が本考案の要旨の範囲を逸脱しない場合、本考案の権利範囲内に含まれる。
【符号の説明】
【００１３】
１        カッター装置
２        本体
２１      握持部
３        カッターアセンブリ
３１      カッター部材
３１１    刃部
３１２    延伸部
４        連接部材
５        被切断物
【図１】
0003217048.tif 000003
【図２】
0003217048.tif 000004
【図３】
0003217048.tif 000005
【図４】
0003217048.tif 000006
【図５】
0003217048.tif 000007
【図６】
0003217048.tif 000008
【図７】
0003217048.tif 000009